(57)【要約】【課題】被収納物の重量に対する耐荷重性を向上させることができる収納ケースを提供すること。【解決手段】被収納物を収納する収納ケース１であって、収納空間を区画する側壁部２２１ａ，２２２ａおよび底壁部を有する本体部２と、前記本体部２の中に設けられる中間部材３とを備え、前記底壁部に前記側壁部側壁部２２１ａ，２２２ａの内面側に差し込まれる差込部２３が設けられ、前記中間部材３と前記差込部２３とが、凹凸嵌合し高さ方向の移動が規制される。【選択図】図１
2020172323.tif 000002
【特許請求の範囲】
【請求項１】
被収納物を収納する収納ケースであって、
収納空間を区画する側壁部および底壁部を有する本体部と、
前記本体部の中に設けられる中間部材とを備え、
前記底壁部に前記側壁部の内面側に差し込まれる差込部が設けられ、
前記中間部材と前記差込部とが、凹凸嵌合し高さ方向の移動が規制される収納ケース。
【請求項２】
前記中間部材が、前記側壁部の内面の少なくとも一部を覆う中間側壁部を備える請求項１に記載の収納ケース。
【請求項３】
前記中間側壁部が、前記側壁部の内面の全周を覆う請求項２に記載の収納ケース。
【請求項４】
前記中間部材が、前記中間側壁部と一体に設けられて前記底壁部の内面側に配される中間底壁部を備える請求項２または請求項３に記載の収納ケース。
【請求項５】
前記本体部および前記中間部材が矩形ボックス形状とされ、
前記中間側壁部が、
前記中間底壁部の対向する一対の辺部に一体に設けられ前記中間底壁部から立ち上げられて前記側壁部の対向する一対の内面をそれぞれ覆う一対の一体壁部と、
前記一体壁部の周方向の端部に一体に設けられ前記一体壁部が覆う内面とは異なる内面を覆う一対の中間側壁片部とを備え、
前記中間側壁片部と前記差込部とが凹凸嵌合する請求項４に記載の収納ケース。
【請求項６】
前記一対の中間側壁片部が、
前記一体壁部の前記端部に互いに開閉可能に設けられている請求項５に記載の収納ケース。
【請求項７】
前記中間部材または前記差込部のいずれか一方に、開口部の幅に対して奥部の幅が大きい凹部が設けられ、
前記中間部材または前記差込部のいずれか他方に、前記凹部に嵌合する凸部が設けられている請求項１から請求項６のいずれか一項に記載の収納ケース。
【請求項８】
前記側壁部の内面側に設けられた内側側壁部を備え、
前記差込部および前記中間部材が、前記側壁部と前記内側側壁部との間に設けられる請求項１から請求項７のいずれか一項に記載の収納ケース。
【請求項９】
前記中間部材および前記本体部が、段ボールからなっておりそれぞれの中芯の延在方向が互いに交差する方向に設けられる請求項１から請求項８のいずれか一項に記載の収納ケース。
【請求項１０】
前記本体部の開口縁部を塞ぐ蓋部を備え、
前記開口縁部が、高さ寸法を高くして設けられた高縁部と、前記高縁部よりも高さ寸法を低くして設けられた低縁部とを備え、
前記蓋部の縁部は、前記蓋部が前記開口縁部を塞いだときに前記高縁部および前記低縁部に接触するように相補形状をなしている請求項１から請求項９のいずれか一項に記載の収納ケース。
【発明の詳細な説明】
【技術分野】
【０００１】
本発明は、被収納物を収納する収納ケースに関する。
【背景技術】
【０００２】
従来、被収納物を収納するために種々の収納ケースが利用されている（例えば、特許文献１）。
このような収納ケースとして、側面部および底面部によって収納空間が区画されているものが知られている。この収納ケースの組み立て時において、底面部に設けられた差込部が収納空間の中に差し込まれることにより底面部が閉じられた状態となり、これにより収納空間が区画されるようになっている。
そして、組み立て後において、底面部に被収納物を載せることにより、被収納物が収納空間に配されて収納されるようになっている。
【先行技術文献】
【特許文献】
【０００３】
【特許文献１】特開２０１８−０５２５４７号公報
【発明の概要】
【発明が解決しようとする課題】
【０００４】
しかしながら、上記のような収納ケースでは、被収納物を収納空間に配すると、被収納物の重量による荷重がかかるため振動や衝撃等によって底面部が開いてしまうという問題がある。
【０００５】
本発明は、このような問題を解決するためになされたものであり、被収納物の重量に対する耐荷重性を向上させることができる収納ケースを提供することを目的とする。
【課題を解決するための手段】
【０００６】
上記課題を解決するために、以下の手段を提供する。
本発明は、被収納物を収納する収納ケースであって、収納空間を区画する側壁部および底壁部を有する本体部と、前記本体部の中に設けられる中間部材とを備え、前記底壁部に前記側壁部の内面側に差し込まれる差込部が設けられ、前記中間部材と前記差込部とが、凹凸嵌合し高さ方向の移動が規制される。
【発明の効果】
【０００７】
本願の一観点によれば、被収納物の重量に対する耐荷重性を向上させることができる。
【図面の簡単な説明】
【０００８】
【図１】本発明の実施形態としての収納ケースを示す斜視図である。
【図２】図１の蓋部を開いた様子を示す斜視図である。
【図３】図１の本体部を上から見た様子を示す説明図である。
【図４】図１の蓋部を下から見た様子を示す説明図である。
【図５】図１の本体部の一部を展開した様子を示す展開図である。
【図６】図１の本体部の他の一部を展開した様子を示す展開図である。
【図７】図１の中間部材を展開した様子を示す展開図である。
【図８】図１の蓋部のうち、本体蓋部を展開した様子を示す展開図である。
【図９】図１の蓋部のうち、内側蓋部を展開した様子を示す展開図である。
【図１０】図８の本体蓋部と、図９の内側蓋部を組み立てる様子を示す説明図である。
【図１１】図５の本体部の一部と、図６の本体部の他の一部と、図７の中間部材とを組み立てる様子を示す説明図である。
【図１２】図１１の中間部材を本体部に組み込み、凹部と凸部とを凹凸嵌合させた様子を別の角度から示す説明図である。
【発明を実施するための形態】
【０００９】
（実施形態）
以下、本発明の実施形態における収納ケースについて説明する。
図１および図２は、収納ケース１を示す斜視図である。
なお、図１および図２等において、符号Ｗは収納ケース１の幅方向を示すものであり、符号Ｄは奥行方向を示すものであり、符号Ｈは高さ方向を示すものである。また、幅方向Ｗおよび奥行方向Ｄを収納ケース１の周方向とする。
収納ケース１は、本体部２と中間部材３と蓋部４とを備えている。
これら本体部２、中間部材３および蓋部４は、段ボールからなり矩形ボックス形状をなしている。
本体部２は、図３,５,６に示すように、矩形板状の底面部２１と、この底面部２１の４辺部から立ち上げられた側面部２２とを備えている。
なお、図５および図６等において、符号Ｅは後述する中芯の延在方向を示すものである。
底面部２１は、外側に配された外側底壁部（底壁部）２１ａと、この外側底壁部２１ａの内方側の主面（内面）に配される中底壁部２１ｂと、この中底壁部２１ｂの内面に配される内側底壁部２１ｃとを備えている。
【００１０】
外側底壁部２１ａは、底面全体にわたって延びる一枚の板状になっており、後述する外側長辺側壁部２２２ａと一体に連結されている。外側底壁部２１ａの中芯は奥行方向Ｄに延ばされている。すなわち、外側底壁部２１ａの中芯の延在方向が、奥行方向Ｄに向けられている。なお、中芯の延在方向とは、中芯の波が連続する流れ方向と直交する紙巾方向をいう。
外側底壁部２１ａの一方の長辺部は、外側長辺側壁部２２２ａと一体に連結され、他方の長辺部は、差込部２３と一体に連結されている。
差込部２３は、後述する外側長辺側壁部２２２ａと内側長辺側壁部２２２ｂとの間に差し込まれている。差込部２３は、幅方向Ｗの両端部がＲ状に形成されている。この差込部２３の縁部には、２つの凹部２３ａが設けられている。これら凹部２３ａは、幅方向Ｗの両端からそれぞれ１／４の位置に設けられ同一形状とされている。これら凹部２３ａは、縁部から高さ方向Ｈの下方に向かって逆Ｖ字状に形成されている。すなわち、凹部２３ａの開口部の幅寸法ａ１に対して、凹部２３ａの奥部の幅寸法ｂ１が大きく設定されている。
【００１１】
中底壁部２１ｂは、後述する外側短辺側壁部２２１ａのそれぞれに一体に設けられている。これら中底壁部２１ｂは、幅方向Ｗの中央において分けられて面一に配されており、外側底壁部２１ａの内面の左半分と右半分の領域をそれぞれ覆っている。また、中底壁部２１ｂの中芯の延在方向は、幅方向Ｗに向けられている。
内側底壁部２１ｃは、後述する内側長辺側壁部２２２ｂのそれぞれに一体に設けられている。これら内側底壁部２１ｃは、奥行方向Ｄの中央において分けられて面一に配されており、外側底壁部２１ａの内面の奥半分と手前半分の領域をそれぞれ覆っている。また、内側底壁部２１ｃの中芯の延在方向は、奥行方向Ｄに向けられている。そのため、外側底壁部２１ａ、中底壁部２１ｂおよび内側底壁部２１ｃの中芯の延在方向は、それぞれ奥行方向Ｄ、幅方向Ｗおよび奥行方向Ｄとなっており、それぞれが互いに直交する方向に向けられている。
また、内側底壁部２１ｃの縁部のうち幅方向Ｗの中央部には、円弧状切欠部２１ｃ１が形成されている。さらに、内側底壁部２１ｃの縁部のうち幅方向Ｗの両端部には、矩形状切欠部２１ｃ２が形成されている。
【００１２】
側面部２２は、底面部２１の短辺部から立ち上げられて互いに対向する一対の短辺側壁部２２１と、底面部２１の長辺部から立ち上げられて互いに対向する一対の長辺側壁部２２２とを備えている。
短辺側壁部２２１の上縁部には、高さ方向Ｈの上方に向けられた短辺負荷面（開口縁部，高縁部）２２１ｃが設けられている。互いの短辺負荷面２２１ｃは、面一に配されている。
短辺側壁部２２１は、外側に配された外側短辺側壁部（側壁部）２２１ａと、内側に配された内側短辺側壁部（内側側壁部）２２１ｂとを備えている。
外側短辺側壁部２２１ａと内側短辺側壁部２２１ｂとは、短辺負荷面２２１ｃを介して
一体に連結されている。
また、外側短辺側壁部２２１ａは、矩形板状に形成されており、中芯の延在方向は高さ方向Ｈに向けられている。また、外側短辺側壁部２２１ａのうち奥行方向Ｄの中央の上方側に取手部２２１ｄが一体に設けられている。取手部２２１ｄは、内外方から開閉可能に設けられている。
【００１３】
内側短辺側壁部２２１ｂは、矩形板状に形成されており、中芯の延在方向は高さ方向Ｈに向けられている。また、内側短辺側壁部２２１ｂには、取手部２２１ｄと一致する位置に矩形状の開口部２２１ｅが形成されている。さらに、内側短辺側壁部２２１ｂの縁部のうち奥行方向Ｄの中央部には、高さ方向Ｈの下方側に突出する係止凸部２２１ｆが設けられている。
【００１４】
長辺側壁部２２２の上縁部は、すり鉢状に切り欠かれた開放凹部２２２Ａが設けられている。すなわち、長辺側壁部２２２の上縁部のうち幅方向Ｗの両端部には、互いに近づく方向に下方に傾斜する傾斜縁部（開口縁部）２２２ｄが設けられている。そして、上縁部のうち幅方向Ｗの中央部には、互いの傾斜縁部２２２ｄを連結する長辺負荷面（開口縁部，低縁部）２２２ｃが設けられている。長辺負荷面２２２ｃは、高さ方向Ｈの上方に向けられており、互いに面一に配されている。これら長辺負荷面２２２ｃの高さ寸法は、短辺負荷面２２１ｃの高さ寸法よりも低く設定されている。
この長辺側壁部２２２は、外側に配された外側長辺側壁部（側壁部）２２２ａと、内側に配された内側長辺側壁部（内側側壁部）２２２ｂとを備えている。
外側長辺側壁部２２２ａと内側短辺側壁部２２１ｂとは、長辺負荷面２２２ｃを介して一体に連結されている。
外側長辺側壁部２２２ａおよび内側長辺側壁部２２２ｂの中芯の延在方向は、高さ方向Ｈに向けられている。
【００１５】
中間部材３は、図７,１１に示すように、矩形ボックス形状とされており、本体部２の外側と内側の面との間に配されている。
この中間部材３は、矩形板状の中間底壁部３１と、この中間底壁部３１の短辺部から立ち上げられた一対の中間短辺側壁部（中間側壁部、一体壁部）３２と、この中間短辺側壁部３２の奥行方向Ｄの両端部に連結された一対の中間長辺側壁部（中間側壁部）３３とを備えている。
中間底壁部３１の中芯の延在方向は、奥行方向Ｄに向けられている。この中間底壁部３１の短辺部の中央部には、矩形状に切り欠かれた係止開口部３１ａがそれぞれ設けられている。
中間短辺側壁部３２は、矩形板状に形成されており、中間底壁部３１の短辺部に一体に連結されている。中間短辺側壁部３２の中芯の延在方向は、奥行方向Ｄに向けられている。すなわち、中間短辺側壁部３２および短辺側壁部２２１の中芯の延在方向は、互いに直交する方向に向けられている。さらに、中間短辺側壁部３２のうち、取手部２２１ｄと一致する位置に矩形状の開口部３２ａが設けられている。
【００１６】
中間長辺側壁部３３の上縁部には、開放凹部２２２Ａが設けられている。すなわち、中間長辺側壁部３３の上縁部のうち幅方向Ｗの両端部には、互いに近づく方向に下方に傾斜する傾斜縁部３３ａが設けられている。そして、上縁部のうち幅方向Ｗの中央部には、互いの傾斜縁部３３ａを連結する長辺部３３ｂが設けられている。
中間長辺側壁部３３の中芯の延在方向は、幅方向Ｗに向けられている。すなわち、中間長辺側壁部３３および長辺側壁部２２２の中芯の延在方向は、互いに直交する方向に向けられている。
【００１７】
中間長辺側壁部３３は、一方側中間側壁部３３１と他方側中間側壁部３３２とを備えている。
一方側中間側壁部３３１は、中間短辺側壁部３２の一方の長辺部（周方向の一端部）に一体に連結された一対の一方側中間側壁片（中間側壁片部）３３１ａを備えている。これら一方側中間側壁片３３１ａは、幅方向Ｗの中央において分割されている。すなわち、一方側中間側壁片３３１ａは、中間短辺側壁部３２の一方の長辺部から互いに開閉可能に設けられている。つまり、一方側中間側壁片３３１ａは、中間短辺側壁部３２の一方の長辺部を通って高さ方向Ｈに延びる回転軸線を回転中心として、互いに回転可能になっている。
これら一方側中間側壁片３３１ａの下端部は、差込部２３と相補形状に切りかかれている。すなわち、一方側中間側壁片３３１ａの下端部には、２つの凸部３３１ａ１が設けられている。凸部３３１ａ１の基端部の幅寸法ｃ１に対して、凸部３３１ａ１の下方部の幅寸法ｄ１が大きく設定されている。そのため、凸部３３１ａ１は、凹部２３ａに嵌合するようになっている。
他方側中間側壁部３３２は、中間短辺側壁部３２の他方の長辺部（周方向の他端部）に一体に連結された一対の他方側中間側壁片３３２ａを備えている。これら他方側中間側壁片３３２ａは、幅方向Ｗの中央において分割されている。すなわち、他方側中間側壁片３３２ａは、中間短辺側壁部３２の他方の長辺部から互いに開閉可能に設けられている。つまり、他方側中間側壁片３３２ａは、中間短辺側壁部３２の他方の長辺部を通って高さ方向Ｈに延びる回転軸線を回転中心として、互いに回転可能になっている。
【００１８】
蓋部４は、図４,８,９,１０に示すように、矩形ボックス形状とされており、本体部２の開口縁部を塞ぐようになっている。
蓋部４は、本体蓋部４１と内側蓋部４２とを備えている。
本体蓋部４１は、矩形板状の外側天面部４１１と、この外側天面部４１１の長辺部に一体に連結された一対の蓋側長辺側壁部４１２と、外側天面部４１１の短辺部に一体に連結された一対の蓋側短辺側壁部４１３とを備えている。
外側天面部４１１の中芯の延在方向は、幅方向Ｗに向けられている。
蓋側長辺側壁部４１２は、矩形板状に形成されており、中芯の延在方向は、幅方向Ｗに向けられている。
蓋側短辺側壁部４１３は、矩形板状に形成されており、中芯の延在方向は、高さ方向Ｈに向けられている。蓋側短辺側壁部４１３は、外側と内側とで二重になっている。蓋側短辺側壁部４１３の内側の面の端部には、矩形状の突出部４１３ａが設けられている。
【００１９】
内側蓋部４２は、本体蓋部４１の中に配されている。この内側蓋部４２は、内側天面部４２１と、この内側天面部４２１に一体に連結された一対の内側側壁部４２２とを備えている。
内側天面部４２１は、矩形板状に形成されており、中芯の延在方向は、奥行方向Ｄに向けられている。すなわち、外側天面部４１１および内側天面部４２１の中芯の延在方向は、互いに直交する方向に向けられている。内側天面部４２１の縁部には、矩形状の切欠部４２１ａが設けられている。
内側側壁部４２２の縁部のうち幅方向Ｗの両端部には、幅方向Ｗの両端から互いに近づく方向に下方に傾斜している傾斜縁部（縁部）４２２１が設けられている。内側側壁部４２２の縁部のうち幅方向Ｗの中央部には、傾斜縁部４２２１を連結する蓋側長辺負荷面（縁部）４２２ｃが設けられている。蓋側長辺負荷面４２２ｃは、高さ方向Ｈの下方に向けられており、互いに面一になっている。
【００２０】
この内側側壁部４２２は、内側天面部４２１の長辺部に一体に連結された内側側壁片部４２２ｂと、外側側壁片部４２２ａとを備えている。
外側側壁片部４２２ａと内側側壁片部４２２ｂとは、蓋側長辺負荷面４２２ｃを介して一体に連結されている。
すなわち、蓋部４の長辺部側の縁部は、二重になっており、外側の縁部は、幅方向Ｗの全長にわたって同じ高さ寸法とされ、内側の縁部は、蓋部４が本体部２の開口縁部を塞いだときに、蓋側長辺負荷面４２２ｃと長辺負荷面２２２ｃとが接触するように、本体部２の開口縁部に対して相補形状をなしている。
【００２１】
次いで、収納ケース１の組立手順について説明する。
まず、本体部２について組み立てていく。図５に示す外側長辺側壁部２２２ａの長辺部に一体に設けられたのりしろ２２２ａ１の外面を、図６に示す外側短辺側壁部２２１ａの長辺部の内面に貼り付ける。そして、図６に示す外側長辺側壁部２２２ａの長辺部に一体に設けられたのりしろ２２２ａ２の外面を、各長辺部を折りながら、図５に示す外側短辺側壁部２２１ａの長辺部の内面に貼り付ける。これにより、全体として角筒状になる。
さらに、一対の中底壁部２１ｂを互いに近づく方向に折り曲げ、外側底壁部２１ａを折り曲げる。そして、差込部２３を折り曲げながら外側長辺側壁部２２２ａの内面側に差し込んでいく。これにより、図１１に示す状態となり、外側底壁部２１ａおよび中底壁部２１ｂが二重の底となって配置される。このとき、差込部２３は、高さ方向Ｈの上方を向けられ、凹部２３ａの開口部も上方を向けられる。
【００２２】
次に、中間部材３を組み立てていく。
図７に示す一対の中間短辺側壁部３２を立ち上げて互いに対向する位置に配する。そして、他方側中間側壁片３３２ａを互いに近づく方向に折り曲げて面一に配する。さらに、一方側中間側壁片３３１ａを互いに近づく方向に折り曲げて面一に配する。このとき、一方側中間側壁片３３１ａは、互いに開閉可能になっており、他方側中間側壁片３３２ａも、互いに開閉可能になっている。
これにより、図１１に示すように、中間部材３が矩形ボックス形状となり、凸部３３１ａ１が高さ方向Ｈの下方向に向けられる。
ここから、中間部材３を本体部２の中に入れていく。すなわち、互いの短辺側壁部２２１と中間短辺側壁部３２とを高さ方向Ｈに上下に配し、差込部２３が配されている側の外側長辺側壁部２２２ａと一方側中間側壁片３３１ａとを上下に配し、差込部２３が配されていない側の外側長辺側壁部２２２ａと他方側中間側壁片３３２ａとを上下に配する。このとき、凸部３３１ａ１は、凹部２３ａの開口部に一致する位置において、高さ方向Ｈの上方に配される。
【００２３】
この状態で、中間部材３を下方に移動させ、本体部２の中に組み込んでいく。このとき、一方側中間側壁片３３１ａおよび他方側中間側壁片３３２ａは、それぞれが互いに開閉可能になっているので、これら一方側中間側壁片３３１ａおよび他方側中間側壁片３３２ａを適宜開閉させながら、中間部材３を下方に移動させていく。そして、中間底壁部３１が中底壁部２１ｂの内面に載せられたら、一方側中間側壁片３３１ａおよび他方側中間側壁片３３２ａのそれぞれを外側長辺側壁部２２２ａの内面に押し付けて互いに閉じて面一に配していく。このとき、図１２に示すように、一方側中間側壁片３３１ａを外側長辺側壁部２２２ａの内面に押し付けながら、奥行方向Ｄから凸部３３１ａ１を凹部２３ａに嵌め込んでいく。これにより、凸部３３１ａ１と凹部２３ａとが凹凸嵌合し、上下方向の移動が規制された状態になる。また、外側長辺側壁部２２２ａおよび外側短辺側壁部２２１ａの４つの内面の全面が全周にわたって、中間部材３の中間長辺側壁部３３および中間短辺側壁部３２によって覆われる。さらに、中底壁部２１ｂの内面の全面が、中間底壁部３１によって覆われる。
【００２４】
それから、２つの内側長辺側壁部２２２ｂを折り曲げながら本体部２の中に組み込んでいく。そして、内側底壁部２１ｃの縁部を合わせて中間底壁部３１の内面の全面にわたって面一に配する。これにより、円弧状切欠部２１ｃ１が円弧状に配される。この円弧状切欠部２１ｃ１を指でつまむことができ、本体部２の組み立てや解体操作を容易にすることができる。また、このとき、係止開口部３１ａと矩形状切欠部２１ｃ２とが一致する位置に配され、矩形状の凹部が設けられた状態になる。
さらに、２つの内側短辺側壁部２２１ｂを折り曲げながら本体部２の中に組み込んでいく。そして、図３に示すように、内側短辺側壁部２２１ｂを中間短辺側壁部３２に押し付けると、係止凸部２２１ｆが、係止開口部３１ａおよび矩形状切欠部２１ｃ２による凹部に没入され、内側短辺側壁部２２１ｂが固定される。このとき、取手部２２１ｄが、開口部３２ａ，２２１ｅに一致する位置に配されることにより、開口部３２ａ，２２１ｅを介して開閉可能になる。
【００２５】
また、このとき、内側短辺側壁部２２１ｂおよび内側長辺側壁部２２２ｂによって、中間短辺側壁部３２および中間長辺側壁部３３の内面の全面が全周にわたって覆われ、中間底壁部３１の内面の全面が内側底壁部２１ｃによって覆われる。このとき、側面部２２の中芯の延在方向は高さ方向Ｈに向けられ、中間短辺側壁部３２および中間長辺側壁部３３の中芯の延在方向は、それぞれ奥行方向Ｄおよび幅方向Ｗに向けられる。すなわち、側面部２２と中間部材３の側壁部とで中芯の延在方向が直交する方向に向けられる。
また、このとき、中間部材３が、外側底壁部２１ａ、外側短辺側壁部２２１ａおよび外側長辺側壁部２２２ａと、内側底壁部２１ｃ、内側短辺側壁部２２１ｂおよび内側長辺側壁部２２２ｂとの間に配され、差込部２３は、外側長辺側壁部２２２ａと内側長辺側壁部２２２ｂとの間に配される。これにより、中間部材３および差込部２３が外方から隠されて目視できない状態となる。
これにより、本体部２が組み立てられる。
【００２６】
次に、蓋部４を組み立てていく。
まず、図８に示す蓋側長辺側壁部４１２を互いに立ち上げ、四隅の補強片部４１５を折り曲げる。そして、図１０に示すように、蓋側短辺側壁部４１３を互いに立ち上げ、補強片部４１５を越えてさらに折り曲げていく。
また、図９に示す内側側壁片部４２２ｂを互いに立ち上げ、蓋側長辺負荷面４２２ｃを挟んで外側側壁片部４２２ａを折り曲げる。そして、図１０に示すように、外側側壁片部４２２ａと内側側壁片部４２２ｂとを合わせた状態で、内側蓋部４２を本体蓋部４１の中に組み込んでいく。外側天面部４１１の内面と内側天面部４２１の外面とを当接させた状態で、再度、蓋側短辺側壁部４１３を直角に立ち上げ、補強片部４１５を越えてさらに折り曲げていく。そして、突出部４１３ａを切欠部４２１ａに嵌めることにより、本体蓋部４１と内側蓋部４２とが固定される。
これにより、蓋部４が組み立てられる。
【００２７】
そして、図２に示すように、組み立てられた本体部２の収納空間１Ａに、被収納物を入れる。このとき、凸部３３１ａ１と凹部２３ａとが凹凸嵌合していることから、底面部２１の開動作が規制され、取手部２２１ｄを手で持って本体部２を持ち運ぶときに、底面部２１が開いてしまうことが防止される。また、各壁部が二重になっているため、強度が増加し、さらに本体部２と中間部材３との各壁部の中芯の延在方向が直交する方向に向けられていることから、強度が一層増加しており、本体部２の損壊が防止される。
さらに、図１に示すように、本体部２の開口縁部を塞ぐようにして、蓋部４で蓋をする。このとき、長辺負荷面２２２ｃと蓋側長辺負荷面４２２ｃとが当接し、短辺負荷面２２１ｃと内側天面部４２１の内面とが当接することから、蓋部４の上から下方に荷重がかかっても、各面によってその荷重が支持される。
【００２８】
以上より、本実施形態における収納ケース１によれば、凸部３３１ａ１と凹部２３ａとが凹凸嵌合して高さ方向Ｈの移動が規制されることから、底面部２１に被収納物が置かれたときに外側底壁部２１ａが開かないように固定力が増強される。
そのため、被収納物の重量に対する耐荷重性を向上させることができる
また、中間短辺側壁部３２または中間長辺側壁部３３が、外側長辺側壁部２２２ａの内面の少なくとも一部を覆うことから、耐荷重性をさらに向上させることができる。
また、中間短辺側壁部３２および中間長辺側壁部３３が、外側長辺側壁部２２２ａおよび外側短辺側壁部２２１ａの内面の全面を全周にわたって覆うことから、耐荷重性をさらに向上させることができる。
【００２９】
また、外側底壁部２１ａの内面側に中間底壁部３１が設けられることから、耐荷重性をさらに向上させることができる。
また、中間底壁部３１に一体に設けられる中間短辺側壁部３２が設けられ、この中間短辺側壁部３２に一体に設けられる中間長辺側壁部３３が設けられ、中間長辺側壁部３３と差込部２３とが凹凸嵌合することから、耐荷重性をさらに向上させることができる。
また、一対の一方側中間側壁片３３１ａが、中間短辺側壁部３２の一方の長辺部から互いに開閉可能に設けられることから、中間部材３と差込部２３との嵌合および解除を容易にすることができる。
また、差込部２３に凹部２３ａが設けられ、中間部材３に凸部３３１ａ１が設けられて、凹部２３ａと凸部３３１ａ１とが凹凸嵌合することから、耐荷重性をさらに向上させることができる。
【００３０】
また、差込部２３および中間部材３が、外側長辺側壁部２２２ａと内側長辺側壁部２２２ｂとの間に設けられることから、本体部２を補強することができるだけでなく、凹凸嵌合する構成を外方から目視できないように隠すことができ、意匠性を向上させることができる。
また、中間底壁部３１が、外側底壁部２１ａと内側底壁部２１ｃとの間に設けられることから、耐荷重性をさらに向上させることができる。
また、中間部材３および本体部２の中芯の延在方向が、互いに交差する方向に向けられていることから、本体部２を補強することができる。さらに、中間部材３および本体部２の中芯の延在方向が、互いに直交する方向に向けられていることから、本体部２をさらに補強することができる。
【００３１】
また、長辺負荷面２２２ｃおよび短辺負荷面２２１ｃが設けられていることから、本体部２に対して蓋部４で蓋をすると、蓋側長辺負荷面４２２ｃと長辺負荷面２２２ｃとを接触させ、内側天面部４２１の内面と短辺負荷面２２１ｃとを接触させることにより、蓋部４の上方から荷重がかかったときの耐荷重性を向上させることができる。さらに、本体部２の開口縁部を広くすることができ、被収納物の出し入れを容易にすることができる。
また、長辺側壁部２２２の縁部に、高さ寸法の低い長辺負荷面２２２ｃが設けられていることから、耐荷重性をさらに向上させることができる。
また、内側天面部４２１が設けられていることから、耐荷重性をさらに向上させることができる。
また、外側天面部４１１および内側天面部４２１の中芯の延在方向が直交する方向に向けられていることから、耐荷重性をさらに向上させることができる。
また、傾斜縁部２２２ｄ，３３ａ，４２２１が設けられていることから、耐荷重性をさらに向上させることができる。
また、蓋側長辺側壁部４１２および蓋側短辺側壁部４１３が設けられていることから、傾斜縁部４２２１および蓋側長辺負荷面４２２ｃを外方から目視できないように隠すことができ、意匠性を向上させることができる。
また、凹部２３ａおよび凸部３３１ａ１が、幅方向Ｗの両端からそれぞれ１／４の位置に設けられていることから、荷重に対する耐力をバランスさせることができ、耐荷重性をさらに向上させることができる。
【００３２】
なお、本発明の技術範囲は上記の実施形態に限定されるものではなく、本発明の趣旨を逸脱しない範囲において、種々の変更を加えることが可能である。
例えば、中間部材３が、外側短辺側壁部２２１ａおよび外側長辺側壁部２２２ａの内面の全周を覆うとしたが、これに限ることはなく、適宜変更可能である。具体的には、中間部材３が、外側短辺側壁部２２１ａまたは外側長辺側壁部２２２ａの少なくとも一面を覆っていればよく、さらには、それらの少なくとも一部を覆っていればよい。例えば、中間部材３が一方側中間側壁片３３１ａのみを備えており、この一方側中間側壁片３３１ａが、外側長辺側壁部２２２ａの内面の少なくとも一部を覆っていればよい。
また、中間部材３が中間底壁部３１を備えるとしたが、この中間底壁部３１は設けられていなくてもよい。
また、本体部２、中間部材３および蓋部４が、矩形ボックス形状とされているとしたが、これに限ることはなく、その形状等は適宜変更可能である。例えば、円形、楕円形、三角形、多角形または星形などであってもよい。
【００３３】
また、一対の中間短辺側壁部３２が、中間底壁部３１から一体に立ち上げられるとしたが、これに限ることはなく、適宜変更可能である。例えば、中間短辺側壁部３２が、中間底壁部３１と別体に設けられていてもよいし、対をなしておらずいずれか一方であってもよい。
また、一対の一方側中間側壁片３３１ａが、中間短辺側壁部３２から一体に設けられるとしたが、これに限ることはなく、適宜変更可能である。例えば、一方側中間側壁片３３１ａが、中間短辺側壁部３２と別体に設けられていてもよいし、一方側中間側壁片３３１ａが対をなしておらず、一部材として一方側中間側壁部３３１を構成してもよい。
また、一対の他方側中間側壁片３３２ａが、中間短辺側壁部３２から一体に設けられるとしたが、これに限ることはなく、適宜変更可能である。例えば、他方側中間側壁片３３２ａが、中間短辺側壁部３２と別体に設けられていてもよいし、他方側中間側壁片３３２ａが対をなしておらず、一部材として他方側中間側壁部３３２を構成してもよい。
また、各壁部が一体に設けられているとしたが、これに限ることはなく、それぞれ別体として組み立てられるようになっていてもよい。
【００３４】
また、一対の一方側中間側壁片３３１ａが、中間短辺側壁部３２の一方の長辺部に互いに開閉可能に設けられるとしたが、これに限ることはなく、適宜変更可能である。例えば、一方側中間側壁片３３１ａが開閉可能でなく、固定されていてもよい。
また、中間部材３に凸部３３１ａ１が設けられ、差込部２３に凹部２３ａが設けられるとしたが、これに限ることはなく、中間部材３に上方に向けられた凹部が設けられ、差込部２３に上方に向けられた凸部が設けられていてもよい。
また、凸部３３１ａ１および凹部２３ａが２つずつ設けられているとしたが、これに限ることはなく、その設置数は適宜変更可能である。例えば、凸部３３１ａ１および凹部２３ａが１つずつであってもよいし、３つずつ以上であってもよい。
また、凸部３３１ａ１および凹部２３ａの凹凸の形状は適宜変更可能である。例えば、円形、楕円形、三角形、多角形または星形などであってもよい。
また、凹凸の相補形状として、凸部３３１ａ１および凹部２３ａが設けられるとしているが、これに限ることはなく、凸部のサイズが小さくなっていてもよい。
【００３５】
また、内側底壁部２１ｃ、内側短辺側壁部２２１ｂ、内側長辺側壁部２２２ｂ、内側天面部４２１および内側側壁部４２２が設けられるとしたが、これに限ることはなく、これら内側の壁部の少なくとも一つが設けられていなくてもよい。例えば、内側の壁部のすべてが設けられていなくてもよい。
また、中底壁部２１ｂが設けられているとしたら、これに限ることはなく、中底壁部２１ｂが設けられていなくてもよい。
また、中間部材３が、内側の壁部と外側の壁部との間に設けられるとしたが、これに限ることはなく、内側の壁部の内面に設けられていてもよい。
また、中間部材３と本体部２の中芯の延在方向が直交する方向に向けられているとしたが、これに限ることはなく、適宜変更可能である。例えば、少なくとも交差する方向であってもよいし、さらには同方向であってもよい。
また、収納ケース１が段ボールからなるとしたが、これに限ることはなく、その材質等は適宜変更可能である。例えば、樹脂や紙などであってもよい。
【００３６】
また、蓋部４が設けられるとしたが、これに限ることはなく、蓋部４はなくてもよい。
また、蓋部４に蓋側長辺負荷面４２２ｃが設けられるとしたが、これに限ることはなく、蓋側長辺負荷面４２２ｃが設けられていなくてもよい。
また、蓋部４が内側蓋部４２を備えるとしたが、これに限ることはなく、内側蓋部４２はなくてもよい。
また、蓋側長辺負荷面４２２ｃが内側側壁部４２２に設けられるとしたが、これに限ることはなく、蓋側長辺負荷面４２２ｃが、蓋側長辺側壁部４１２が設けられていてもよい。すなわち、傾斜縁部４２２１および蓋側長辺負荷面４２２ｃが外観から目視できるようになっていてもよい。
また、内側天面部４２１の内面が短辺負荷面２２１ｃに接触するとしたが、これに限ることはなく、蓋側短辺負荷面を別個に設けて、この蓋側短辺負荷面が短辺負荷面２２１ｃに接触するようにしてもよい。
【００３７】
また、本体部２および中間部材３の開口縁部に開放凹部２２２Ａが設けられるとしたが、これに限ることはなく、適宜変更可能である。例えば、それら開口縁部は、全周にわたって同一の高さ寸法の矩形枠状であってもよい。このとき、短辺負荷面２２１ｃおよび長辺負荷面２２２ｃの少なくともいずれか一方がなくてもよいし、いずれも設けられていなくてもよい。
また、本体部２および中間部材３の開口縁部に開放凹部２２２Ａが設けられていたとしても、短辺負荷面２２１ｃおよび長辺負荷面２２２ｃの少なくともいずれか一方がなくてもよいし、いずれも設けられていなくてもよい。
また、傾斜縁部２２２ｄ，３３ａ，４２２１が設けられるとしたが、これに限ることはなく、その形状等は適宜変更可能である。これら傾斜縁部２２２ｄ，３３ａ，４２２１は、傾斜していなくてもよいし、設けられていなくてもよい。
【００３８】
また、図５から図９において、各パーツの展開図を示しているが、これに限ることはなく、展開状態は適宜変更可能であることはいうまでもない。
また、取手部２２１ｄ、開口部２２１ｅ、係止凸部２２１ｆ、円弧状切欠部２１ｃ１、矩形状切欠部２１ｃ２、切欠部４２１ａおよび突出部４１３ａが設けられているとしたが、これに限ることはなく、これらは設けられていなくてもよい。
【００３９】
既述の実施形態に関し、さらに以下の付記を示す。
（付記１）
被収納物を収納する収納ケースであって、
収納空間を区画する側壁部および底壁部を有する本体部と、
前記本体部の中に設けられる中間部材とを備え、
前記底壁部に前記側壁部の内面側に差し込まれる差込部が設けられ、
前記中間部材と前記差込部とが、凹凸嵌合し高さ方向の移動が規制される収納ケース。
【００４０】
（付記２）
前記中間部材が、前記側壁部の内面の少なくとも一部を覆う中間側壁部を備える付記１に記載の収納ケース。
【００４１】
（付記３）
前記中間側壁部が、前記側壁部の内面の全周を覆う付記２に記載の収納ケース。
【００４２】
（付記４）
前記中間部材が、前記中間側壁部と一体に設けられて前記底壁部の内面側に配される中間底壁部を備える付記２または付記３に記載の収納ケース。
【００４３】
（付記５）
前記本体部および前記中間部材が矩形ボックス形状とされ、
前記中間側壁部が、
前記中間底壁部の対向する一対の辺部に一体に設けられ前記中間底壁部から立ち上げられて前記側壁部の対向する一対の内面をそれぞれ覆う一対の一体壁部と、
前記一体壁部の周方向の端部に一体に設けられ前記一体壁部が覆う内面とは異なる内面を覆う一対の中間側壁片部とを備え、
前記中間側壁片部と前記差込部とが凹凸嵌合する付記４に記載の収納ケース。
【００４４】
（付記６）
前記一対の中間側壁片部が、
前記一体壁部の前記端部に互いに開閉可能に設けられている付記５に記載の収納ケース。
【００４５】
（付記７）
前記中間部材または前記差込部のいずれか一方に、開口部の幅に対して奥部の幅が大きい凹部が設けられ、
前記中間部材または前記差込部のいずれか他方に、前記凹部に嵌合する凸部が設けられている付記１から付記６のいずれか一項に記載の収納ケース。
【００４６】
（付記８）
前記側壁部の内面側に設けられた内側側壁部を備え、
前記差込部および前記中間部材が、前記側壁部と前記内側側壁部との間に設けられる付記１から付記７のいずれか一項に記載の収納ケース。
【００４７】
（付記９）
前記中間部材および前記本体部が、段ボールからなっておりそれぞれの中芯の延在方向が互いに交差する方向に設けられる付記１から付記８のいずれか一項に記載の収納ケース。
【００４８】
（付記１０）
前記本体部の開口縁部を塞ぐ蓋部を備え、
前記開口縁部が、高さ寸法を高くして設けられた高縁部と、前記高縁部よりも高さ寸法を低くして設けられた低縁部とを備え、
前記蓋部の縁部は、前記蓋部が前記開口縁部を塞いだときに前記高縁部および前記低縁部に接触するように相補形状をなしている付記１から付記９のいずれか一項に記載の収納ケース。
【符号の説明】
【００４９】
１    収納ケース
１Ａ  収納空間
２  本体部
３  中間部材
４  蓋部
２１ａ  外側底壁部（底壁部）
２３  差込部
２３ａ  凹部
３１  中間底壁部
３２  中間短辺側壁部（中間側壁部、一体壁部）
３３  中間長辺側壁部（中間側壁部）
２２１ａ  外側短辺側壁部（側壁部）
２２１ｂ  内側短辺側壁部（内側側壁部）
２２１ｃ  短辺負荷面（開口縁部，高縁部）
２２２ａ  外側長辺側壁部（側壁部）
２２２ｂ  内側長辺側壁部（内側側壁部）
２２２ｃ  長辺負荷面（開口縁部，低縁部）
２２２ｄ  傾斜縁部（開口縁部）
３３１ａ  一方側中間側壁片（中間側壁片部）
３３１ａ１  凸部
４２２ｃ  蓋側長辺負荷面（縁部）
４２２１  傾斜縁部（縁部）
【図１】
2020172323.tif 000003
【図２】
2020172323.tif 000004
【図３】
2020172323.tif 000005
【図４】
2020172323.tif 000006
【図５】
2020172323.tif 000007
【図６】
2020172323.tif 000008
【図７】
2020172323.tif 000009
【図８】
2020172323.tif 000010
【図９】
2020172323.tif 000011
【図１０】
2020172323.tif 000012
【図１１】
2020172323.tif 000013
【図１２】
2020172323.tif 000014